(57)【要約】【課題】印刷ジョブごとの設定項目の設定し直しを軽減させることができる情報処理装置を提供する。【解決手段】情報処理装置の対応付手段は、印刷に関する設定項目の少なくとも一部について、該設定項目の内容を編集可能とする編集画面に関する情報を、印刷ジョブごとに対応付け、表示手段は、印刷ジョブを印刷対象とした場合に、該印刷ジョブに対応付けられている情報にしたがって編集画面を表示する。【選択図】図１
2019046333.tif 000002
【特許請求の範囲】
【請求項１】
印刷に関する設定項目の少なくとも一部について、該設定項目の内容を編集可能とする編集画面に関する情報を、印刷ジョブごとに対応付ける対応付手段と、
印刷ジョブを印刷対象とした場合に、該印刷ジョブに対応付けられている情報にしたがって編集画面を表示する表示手段
を有する情報処理装置。
【請求項２】
前記印刷ジョブは、該印刷ジョブを生成する者と該印刷ジョブの印刷指示を行う者とが異なる、
請求項１に記載の情報処理装置。
【請求項３】
前記印刷ジョブは、プロダクションプリンタによって印刷され、前記印刷指示を行う者は、該プロダクションプリンタの操作者である、
請求項２に記載の情報処理装置。
【請求項４】
前記対応付手段は、印刷ジョブを受け付けた場合に、前記情報の雛型を該印刷ジョブに対応付ける、
請求項１に記載の情報処理装置。
【請求項５】
前記対応付手段は、前記雛型を対応付けた後に、前記設定項目を編集可能とする、
請求項４に記載の情報処理装置。
【請求項６】
前記情報を操作者ごとに対応付ける第２の対応付手段
をさらに有する請求項１に記載の情報処理装置。
【請求項７】
前記表示手段は、前記対応付手段によって対応付けられた編集画面又は前記第２の対応付手段によって対応付けられた編集画面のいずれか一方を表示する、
請求項６に記載の情報処理装置。
【請求項８】
コンピュータを、
印刷に関する設定項目の少なくとも一部について、該設定項目の内容を編集可能とする編集画面に関する情報を、印刷ジョブごとに対応付ける対応付手段と、
印刷ジョブを印刷対象とした場合に、該印刷ジョブに対応付けられている情報にしたがって編集画面を表示する表示手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、印刷条件を設定するユーザーの作業をより軽減することができる印刷条件設定装置、印刷条件設定方法、及び印刷条件設定プログラムを提供することを課題とし、印刷条件を特定する複数の設定項目のうち、ユーザーの操作に基づいて登録された少なくとも一つの設定項目を含む設定項目情報を複数記憶する設定項目情報記憶部と、前記設定項目情報記憶部に記憶されている複数の設定項目情報の中からのユーザーによる一の設定項目情報の選択を受け付ける設定項目情報受付部と、前記ユーザーにより選択された一の設定項目情報を呼び出して、当該設定項目情報に含まれる設定項目を特定の操作画面に表示させる設定項目情報呼出部と、を有することが開示されている。
【０００３】
特許文献２には、ユーザーごとにプロパティシートの内容を自由にカスタマイズできるようにして操作性を高めた印刷制御装置を提供することを課題とし、ユーザーが所望の設定項目画像を選択すると、登録位置決定部が、その設定項目画像に関する登録設定情報を取得し、そして、最初の設定項目画像の登録位置の座標を計算し、以後、他の設定項目画像についての登録位置の座標値を累積させ、座標累積値が予め定められているユーザープロパティシートの有効表示領域を越えない場合はその設定項目画像をユーザープロパティシートに登録し、この処理を選択された設定項目画像について繰り返すことが開示されている。
【０００４】
特許文献３には、大量に複数部数の印刷処理を行う印刷システムにおいては、色に関しての管理が不十分になり、比較的カラーの知識に乏しい印刷オペレーター任せでは、カラーの統一性が欠け生成物の失敗コストが増す傾向になりがちであることを課題とし、カラー管理者が作成する色調整データ（後述する色のお気に入り）を印刷オペレーターに対して提供する手段と、その提供された色のお気に入りを印刷オペレーターが取り込む手段と、印刷ジョブの特性ごとあるいは出力先プリンタごとに定められたホットフォルダに対して色調整に関する設定を色のお気に入りで設定する手段とを有することが開示されている。
【先行技術文献】
【特許文献】
【０００５】
【特許文献１】特開２０１０−００３１２０号公報
【特許文献２】特開平１１−２３２０５９号公報
【特許文献３】特開２００９−０３７４０５号公報
【発明の概要】
【発明が解決しようとする課題】
【０００６】
印刷装置における印刷に関する設定項目が多い場合、一般的には、そのうちの一部だけの設定項目だけが用いられて編集対象とされることが多い。この場合、ユーザーごとに頻繁に使われる設定項目の一部だけを編集できるように設定した画面（一般的に、お気に入りといわれている画面）を用いた場合、印刷ジョブが異なっているにもかかわらず、同じ設定項目になってしまい、設定し直す必要が多くなる。
本発明は、印刷ジョブごとの設定項目の設定し直しを軽減させることができる情報処理装置及び情報処理プログラムを提供することを目的としている。
【課題を解決するための手段】
【０００７】
かかる目的を達成するための本発明の要旨とするところは、次の各項の発明に存する。
請求項１の発明は、印刷に関する設定項目の少なくとも一部について、該設定項目の内容を編集可能とする編集画面に関する情報を、印刷ジョブごとに対応付ける対応付手段と、印刷ジョブを印刷対象とした場合に、該印刷ジョブに対応付けられている情報にしたがって編集画面を表示する表示手段を有する情報処理装置である。
【０００８】
請求項２の発明は、前記印刷ジョブは、該印刷ジョブを生成する者と該印刷ジョブの印刷指示を行う者とが異なる、請求項１に記載の情報処理装置である。
【０００９】
請求項３の発明は、前記印刷ジョブは、プロダクションプリンタによって印刷され、前記印刷指示を行う者は、該プロダクションプリンタの操作者である、請求項２に記載の情報処理装置である。
【００１０】
請求項４の発明は、前記対応付手段は、印刷ジョブを受け付けた場合に、前記情報の雛型を該印刷ジョブに対応付ける、請求項１に記載の情報処理装置である。
【００１１】
請求項５の発明は、前記対応付手段は、前記雛型を対応付けた後に、前記設定項目を編集可能とする、請求項４に記載の情報処理装置である。
【００１２】
請求項６の発明は、前記情報を操作者ごとに対応付ける第２の対応付手段をさらに有する請求項１に記載の情報処理装置である。
【００１３】
請求項７の発明は、前記表示手段は、前記対応付手段によって対応付けられた編集画面又は前記第２の対応付手段によって対応付けられた編集画面のいずれか一方を表示する、請求項６に記載の情報処理装置である。
【００１４】
請求項８の発明は、コンピュータを、印刷に関する設定項目の少なくとも一部について、該設定項目の内容を編集可能とする編集画面に関する情報を、印刷ジョブごとに対応付ける対応付手段と、印刷ジョブを印刷対象とした場合に、該印刷ジョブに対応付けられている情報にしたがって編集画面を表示する表示手段として機能させるための情報処理プログラムである。
【発明の効果】
【００１５】
請求項１の情報処理装置によれば、印刷ジョブごとの設定項目の設定し直しを軽減させることができる。
【００１６】
請求項２の情報処理装置によれば、印刷ジョブを生成する者とその印刷ジョブの印刷指示を行う者とが異なっても対応することができる。
【００１７】
請求項３の情報処理装置によれば、プロダクションプリンタによって印刷され、印刷指示を行う者が、そのプロダクションプリンタの操作者であっても対応することができる。
【００１８】
請求項４の情報処理装置によれば、印刷ジョブを受け付けると、その印刷ジョブに情報の雛型を対応付けることができる。
【００１９】
請求項５の情報処理装置によれば、雛型を対応付けた後に、設定項目を編集することができる。
【００２０】
請求項６の情報処理装置によれば、操作者ごとの情報とすることができる。
【００２１】
請求項７の情報処理装置によれば、２種類の編集画面のいずれか一方を用いることができる。
【００２２】
請求項８の情報処理プログラムによれば、印刷ジョブごとの設定項目の設定し直しを軽減させることができる。
【図面の簡単な説明】
【００２３】
【図１】本実施の形態の構成例についての概念的なモジュール構成図である。
【図２】本実施の形態を利用したシステム構成例を示す説明図である。
【図３】印刷ジョブ情報テーブルのデータ構造例を示す説明図である。
【図４】ユーザー情報テーブルのデータ構造例を示す説明図である。
【図５】お気に入りテーブルのデータ構造例を示す説明図である。
【図６】本実施の形態による画面の提示例を示す説明図である。
【図７】本実施の形態によるお気に入りプロファイルの編集画面の提示例を示す説明図である。
【図８】本実施の形態による処理例を示すフローチャートである。
【図９】本実施の形態による処理例を示すフローチャートである。
【図１０】本実施の形態による処理例を示すフローチャートである。
【図１１】本実施の形態による処理例を示すフローチャートである。
【図１２】本実施の形態を実現するコンピュータのハードウェア構成例を示すブロック図である。
【発明を実施するための形態】
【００２４】
まず、本実施の形態を説明する前に、その前提又は本実施の形態を利用する印刷装置について説明する。なお、この説明は、本実施の形態の理解を容易にすることを目的とするものである。
印刷装置の印刷のための設定項目（部数、両面又は片面、用紙サイズ等）は数多く、ユーザーは適切な設定を見つけ出すために、適切なタブ構成、グルーピング等の配置により、慣れれば使いやすいユーザーインタフェースが提供されている。しかしながら、すべてのユーザーがすべての設定項目を使用するわけではなく、大半のユーザーにとっては、多くの設定項目の中から自分にとって必要なわずかな設定項目を「探す」というステップを踏まざるを得ない。
それを解決するために用意されている機能がいわゆる「お気に入り」画面である。通常の設定画面と独立して「お気に入り」画面を設置し、ユーザーはその画面上に自分が使いたい設定を任意に配置することができるという機能である。これにより、ユーザーは自分がよく使う本当に必要な設定項目だけを意識すること、また、要望している設定項目にすぐにアクセスすることが可能となる。これに関連して、ユーザーの操作履歴からよく使う設定を「お気に入り」として登録する技術も知られている（例えば、特許文献２等）。
しかしながら、例えば、後述するプロダクションプリンタにおいては、印刷する原稿はユーザー個人（印刷ジョブの印刷指示を行う者）の所有物ではなく、印刷の依頼をした顧客（印刷ジョブを生成する者）の所有物であり、プロダクションプリンタを使う設定はユーザーによって決まるものではなく、その顧客ごとに決まるものである。一般的には、お気に入り機能はユーザーごとに保存することを想定している。実際、いままでのプロダクションプリンタにおいても、操作するオペレーター（前記ユーザーに該当）のアカウントに対応付けてお気に入りの表示設定を保存することが一般的に行われている。そのため、本当に必要な設定項目だけを意識して使用できるようにすること、そして、それらにすぐアクセスすることを実現するには不十分である。
【００２５】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、一つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、すべての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その一つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、一つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理ごとに又はモジュール内で複数の処理を行う場合はその処理ごとに、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２６】
本実施の形態である情報処理装置１００は、印刷ジョブごとに設定項目を設定するものであって、図１の例に示すように、システム管理モジュール１０５、システム情報記憶モジュール１１０、印刷ジョブ設定モジュール１１５、リソース管理モジュール１２０、プロファイル記憶モジュール１２５、印刷ジョブテンプレート記憶モジュール１３０、印刷ジョブ投入モジュール１３５、印刷ジョブ管理モジュール１４０、印刷ジョブ記憶モジュール１４５を有している。
情報処理装置１００では、「お気に入り」画面を印刷ジョブごとに保存して運用する手段を提供する。
従来は、「お気に入り」情報は、ユーザーごとに対応付けて、システム情報として管理されていた。情報処理装置１００では、「お気に入り」情報を、印刷ジョブの属性の一環とすることで、印刷ジョブごとに対応付けて管理することを可能にしている。具体的には、ウォーターマーク情報、フォント情報、ＣＭＳカラープロファイル等の印刷ジョブに対応付けるプロファイル情報としてお気に入りの情報を管理する。これにより、印刷ジョブそのものとしては関連するプロファイル名だけを保持するので、データの肥大化を防止することが可能となる。また、作成したお気に入りプロファイルを印刷ジョブのテンプレートと対応付けることにより、印刷ジョブテンプレートが印刷ジョブに割り当たるタイミングでお気に入りを変更することを可能とする。
【００２７】
情報処理装置１００における印刷ジョブは、（１）その印刷ジョブを生成する者と（２）その印刷ジョブの印刷指示を行う者とが異なっていてもよい。
本実施の形態による「設定項目の少なくとも一部の内容について、編集可能とする編集画面」（いわゆる「お気に入り」ともいわれる）について、ユーザーごとに設定できる「お気に入り」と異なる点は、印刷ジョブごとにお気に入り画面を設定できることである。そして、そのようにしなければならないそもそもの原因は、「印刷ジョブを生成する者」（いわゆる顧客）と「印刷ジョブの印刷指示を行う者」（いわゆるオペレーター）とが異なるからである。一般的には、１人のオペレーターが複数の顧客からの印刷ジョブの印刷を受け持つ。この場合、例えば、オペレーターごとにお気に入り画面が設定されていれば、顧客が異なっているにもかかわらず、オペレーターは同じであるので、異なる印刷ジョブでも同じお気に入り画面になってしまう。したがって、「お気に入り」の機能を果たすことができずに、印刷ジョブが異なると、「お気に入り」に表示されている以外の設定項目を探すことが必要になってしまう。
また、印刷装置１８０は、プロダクションプリンタであってもよい。つまり、印刷ジョブは、プロダクションプリンタによって印刷されることになる。そして、その場合、「印刷ジョブの印刷指示を行う者」は、その印刷装置１８０の操作者となる。
ここでプロダクションプリンタは、例えば、各種の商業用の印刷物を作成する印刷装置であって、軽印刷市場で用いられる。このプロダクションプリンタは、印刷ジョブを生成する者と印刷ジョブの印刷指示を行う者とが異なっているのが通常である。そして、一般のオフィス又は家庭で用いられる印刷装置に比べて、印刷設定の項目が多く複雑であり、各印刷物に見合った設定項目（パラメータ）をユーザーが一つ一つ設定するには多大な時間を要する。特に、プロダクションプリンタでは、受け付けた印刷ジョブを連続して実行し、大量の印刷ジョブが、それも処理時間が相対的に長い印刷ジョブが実行される傾向にあるので、印刷前に行われる設定項目の設定は重要である。
【００２８】
システム管理モジュール１０５は、システム情報記憶モジュール１１０、印刷ジョブ設定モジュール１１５と接続されている。システム管理モジュール１０５は、ＤＦＥ（Ｄｉｇｉｔａｌ  Ｆｒｏｎｔ  Ｅｎｄ）の起動時に立ち上がり、システム全体（情報処理装置１００、又は、情報処理装置１００と印刷装置１８０）を統括する。例えば、印刷ジョブ設定モジュール１１５の立ち上げ時に、印刷ジョブ設定モジュール１１５にシステム情報を送信する。
【００２９】
システム情報記憶モジュール１１０は、システム管理モジュール１０５と接続されている。システム情報記憶モジュール１１０は、システム情報の一環として、ユーザーに関する情報や、ユーザーごとのお気に入り情報を記憶している。例えば、図４を用いて後述するユーザー情報テーブル４００等を記憶している。お気に入りの情報として、例えば、「デフォルト」、「各ユーザーごとのお気に入り情報（設定名のコレクション）」等がある。
【００３０】
印刷ジョブ設定モジュール１１５は、システム管理モジュール１０５、リソース管理モジュール１２０、印刷ジョブ管理モジュール１４０と接続されている。印刷ジョブ設定モジュール１１５は、印刷ジョブの属性の内容を編集するためのユーザーインタフェースである。編集可能な属性を設定項目として表示する。画面の一つに「お気に入り」画面を持つ。立ち上げ時に印刷ジョブの属性を見て、お気に入りを生成する。印刷ジョブ管理モジュール１４０から起動する場合、投入されている印刷ジョブの設定部として、リソース管理モジュール１２０から立ち上がる場合、印刷ジョブテンプレートの設定部として立ち上がる。
印刷ジョブ設定モジュール１１５は、印刷ジョブを印刷対象とした場合に、その印刷ジョブに対応付けられている情報にしたがって編集画面を表示する。
【００３１】
リソース管理モジュール１２０は、印刷ジョブ設定モジュール１１５、プロファイル記憶モジュール１２５、印刷ジョブテンプレート記憶モジュール１３０、印刷ジョブ投入モジュール１３５と接続されている。リソース管理モジュール１２０は、印刷ジョブに対応付ける（紐付ける）リソースファイル（プロファイル）を管理する。リソースファイルの一つとしてお気に入りプロファイル、印刷ジョブテンプレートを有する。また、その他、ＣＭＳカラープロファイル、ウォーターマーク情報、フォント情報等を有する。
リソース管理モジュール１２０は、印刷に関する設定項目の少なくとも一部について、その設定項目の内容を編集可能とする編集画面に関する情報を、印刷ジョブごとに対応付ける。なお、「編集画面に関する情報」として、例えば、編集画面そのものであってもよいし、その編集画面を指し示す情報（編集画面の識別子（ＩＤ：ＩＤｅｎｔｉｆｉｃａｔｉｏｎ）、編集画面へのリンク等）であってもよい。
リソース管理モジュール１２０は、印刷ジョブを受け付けた場合に、編集画面に関する情報の雛型（テンプレート）をその印刷ジョブに対応付けるようにしてもよい。
さらに、リソース管理モジュール１２０は、雛型を対応付けた後に、設定項目を編集可能とするようにしてもよい。
【００３２】
また、システム管理モジュール１０５は、編集画面に関する情報を操作者ごとに対応付けるようにしてもよい。いわゆるユーザーごとに設定できる「お気に入り」を採用してもよい。したがって、印刷ジョブごとに「お気に入り」を設定でき、ユーザーごとにも「お気に入り」を設定できることとなる。
この場合、印刷ジョブ設定モジュール１１５は、システム管理モジュール１０５によってユーザーに対応付けられた編集画面とリソース管理モジュール１２０によって印刷ジョブに対応付けられた編集画面（ユーザーごとに設定された「お気に入り」画面、印刷ジョブごとに設定された「お気に入り」画面）のいずれか一方を表示することになる。
【００３３】
プロファイル記憶モジュール１２５は、リソース管理モジュール１２０と接続されている。プロファイル記憶モジュール１２５は、お気に入りに表示する設定の情報を、設定名の文字列コレクションとして保持するプロファイルである「お気に入りプロファイル」と定義し、記憶している。例えば、図５を用いて後述するお気に入りテーブル５００等を記憶している。
【００３４】
印刷ジョブテンプレート記憶モジュール１３０は、リソース管理モジュール１２０と接続されている。印刷ジョブテンプレート記憶モジュール１３０は、印刷ジョブの設定パラメータのテンプレートを記憶する。印刷ジョブに割り当てることで、その印刷ジョブの設定内容をテンプレートの内容で上書きすることが可能である。印刷ジョブの属性として例えば、「お気に入りの保存形態」、「お気に入りプロファイル名」がある。ここで「お気に入りの保存形態」として、（１）ユーザーごとのお気に入り（システム管理モジュール１０５によって対応付けられた設定画面）、（２）印刷ジョブごとのお気に入り（リソース管理モジュール１２０によって対応付けられた設定画面）がある。
【００３５】
印刷ジョブ投入モジュール１３５は、リソース管理モジュール１２０、印刷ジョブ管理モジュール１４０と接続されている。印刷ジョブ投入モジュール１３５は、印刷ジョブの受け入れ処理を行う。予め印刷ジョブテンプレートを設定しておくことで、そこを介して投入した印刷ジョブに対して、その印刷ジョブテンプレートの内容を設定することが可能である。
【００３６】
印刷ジョブ管理モジュール１４０は、印刷ジョブ設定モジュール１１５、印刷ジョブ投入モジュール１３５、印刷ジョブ記憶モジュール１４５、印刷装置１８０と接続されている。印刷ジョブ管理モジュール１４０は、サーバーである情報処理装置１００に投入されている印刷ジョブを管理する。そして、その印刷ジョブにしたがった印刷処理を印刷装置１８０に行わせるように制御する。
【００３７】
印刷ジョブ記憶モジュール１４５は、印刷ジョブ管理モジュール１４０と接続されている。印刷ジョブ記憶モジュール１４５は、サーバーに投入されている印刷ジョブのリストを記憶している。例えば、図３を用いて後述する印刷ジョブ情報テーブル３００等を記憶している。印刷ジョブの属性として「お気に入りの保存形態」、「お気に入りプロファイル名」を持つ。また、その他の属性として、部数、両面、カラーモード、ステープラー等に関する設定情報を有していてもよい。
【００３８】
印刷装置１８０は、情報処理装置１００の印刷ジョブ管理モジュール１４０と接続されている。印刷装置１８０は、印刷ジョブ管理モジュール１４０による制御によって、印刷ジョブにしたがった印刷処理を行う。
【００３９】
図２は、本実施の形態を利用したシステム構成例を示す説明図である。
情報処理装置１００、ユーザー端末２１０Ａ、ユーザー端末２１０Ｂ、ユーザー端末２１０Ｃ、ユーザー端末２１０Ｄは、通信回線２９０を介してそれぞれ接続されている。情報処理装置１００は、印刷装置１８０と接続されている。通信回線２９０は、無線、有線、これらの組み合わせであってもよく、例えば、通信インフラとしてのインターネット、イントラネット等であってもよい。また、情報処理装置１００による機能は、クラウドサービスとして実現してもよい。
例えば、顧客の操作に応じて、各ユーザー端末２１０は、情報処理装置１００に対して、印刷ジョブを送信する。情報処理装置１００の印刷ジョブ投入モジュール１３５は、その印刷ジョブを受信する。つまり、顧客が異なる複数の印刷ジョブを受信する。そして、情報処理装置１００（印刷装置１８０）のオペレーターは、各印刷ジョブの印刷前に、設定項目の設定を行う。その場合に、印刷ジョブに対応付けられた設定画面（お気に入り画面）で、設定項目の設定を行う。
【００４０】
ユーザー端末２１０が情報処理装置１００に対して送信する印刷ジョブとして、例えば、印刷ジョブ情報テーブル３００がある。印刷ジョブ情報テーブル３００は、印刷ジョブ記憶モジュール１４５に記憶される。図３は、印刷ジョブ情報テーブル３００のデータ構造例を示す説明図である。印刷ジョブ情報テーブル３００は、印刷ジョブＩＤ欄３０５、印刷ジョブ名欄３１０、所有者欄３１５、頁数欄３２０、部数欄３２５、用紙サイズ欄３３０、印刷文書欄３３５、カラー／白黒欄３４０、排出先Ｎｏ欄３４５、後処理欄３５０、お気に入りの保存形態欄３５５、お気に入りＩＤ欄３６０を有している。
印刷ジョブＩＤ欄３０５は、本実施の形態において、印刷ジョブを一意に識別するための情報（印刷ジョブＩＤ）を記憶している。印刷ジョブ名欄３１０は、その印刷ジョブの名称を記憶している。所有者欄３１５は、その印刷ジョブの所有者を記憶している。頁数欄３２０は、その印刷ジョブにおいて印刷する頁数を記憶している。部数欄３２５は、その印刷ジョブにおいて印刷する部数を記憶している。用紙サイズ欄３３０は、その印刷ジョブにおける用紙サイズを記憶している。印刷文書欄３３５は、その印刷ジョブにおける印刷対象である印刷文書を記憶している。印刷文書そのもののデータであってもよいし、その印刷文書が記憶されている場所の情報（例えば、ＵＲＬ：Ｕｎｉｆｏｒｍ  Ｒｅｓｏｕｒｃｅ  Ｌｏｃａｔｏｒ等）であってもよい。カラー／白黒欄３４０は、その印刷ジョブにおける印刷はカラーであるか白黒であるかの情報を記憶している。カラー／白黒欄３４０では、カラー、白黒だけでなく、特色（金色、銀色、蛍光色等）の指定ができてもよい。排出先Ｎｏ欄３４５は、その印刷ジョブにおける排出先番号を記憶している。後処理欄３５０は、その印刷ジョブにおける後処理（例えば、穴あけ、ステープラー等）を記憶している。お気に入りの保存形態欄３５５は、お気に入りの保存形態を示す情報を記憶している。お気に入りＩＤ欄３６０は、本実施の形態において、お気に入りを一意に識別するための情報（お気に入りＩＤ）を記憶している。
お気に入りの保存形態欄３５５に設定される情報として、「ユーザーごと」を示す値と「印刷ジョブごと」を示す値がある。本実施の形態におけるデフォルト（基準値）としては、「印刷ジョブごと」を示す値が設定されている。「ユーザーごと」を示す値である場合（つまり、オペレーターにおまかせする場合）は、お気に入りＩＤ欄３６０の値を用いずに、後述する図４の例に示すユーザー情報テーブル４００のお気に入りＩＤ欄４５５の値を用いて、図５の例に示すお気に入りテーブル５００の該当行を抽出する。「印刷ジョブごと」を示す値である場合は、お気に入りＩＤ欄３６０の値を用いて、図５の例に示すお気に入りテーブル５００の該当行を抽出する。
【００４１】
ユーザーに関する情報として、例えば、ユーザー情報テーブル４００がある。ユーザー情報テーブル４００は、システム情報記憶モジュール１１０に記憶される。図４は、ユーザー情報テーブル４００のデータ構造例を示す説明図である。ユーザー情報テーブル４００は、ユーザーＩＤ欄４０５、ユーザー名欄４１０、お気に入りＩＤ欄４５５等を有している。ユーザーＩＤ欄４０５は、本実施の形態において、ユーザーを一意に識別するための情報（ユーザーＩＤ）を記憶している。ユーザー名欄４１０は、そのユーザーＩＤのユーザーの名前を記憶している。お気に入りＩＤ欄４５５は、そのユーザーに対応付けられたお気に入りＩＤを記憶している。
【００４２】
お気に入りプロファイルとして、例えば、お気に入りテーブル５００がある。お気に入りテーブル５００は、プロファイル記憶モジュール１２５に記憶される。図５は、お気に入りテーブル５００のデータ構造例を示す説明図である。お気に入りテーブル５００は、お気に入りＩＤ欄５０５、お気に入り名称欄５１０、設定項目数欄５１５、設定項目欄５２０、設定値欄５２５等を有している。お気に入りＩＤ欄５０５は、お気に入りＩＤを記憶している。お気に入り名称欄５１０は、そのお気に入りＩＤのお気に入りの名称を記憶している。設定項目数欄５１５は、そのお気に入りで表示する設定項目の数を記憶している。設定項目欄５２０は、そのお気に入りとして表示する設定項目を記憶している。設定値欄５２５は、その設定項目における設定値を記憶している。設定項目数欄５１５の値の数だけ、設定項目欄５２０と設定値欄５２５の組が続く。
【００４３】
図６は、本実施の形態による画面６００の提示例を示す説明図である。画面６００は、印刷ジョブ設定モジュール１１５によって表示され、情報処理装置１００（印刷装置１８０）のオペレーターに対して表示する設定画面の例である。
画面６００は、お気に入りタブ６１２、詳細設定タブ６１４、設定一覧タブ６１６のいずれかがオペレーターの操作で選択されることによって、それに対応した画面を表示する。
詳細設定タブ６１４が選択された場合、画面６００内に、細かくカテゴライズされた設定項目を配置して表示する。また、設定一覧タブ６１６が選択された場合、画面６００内に、詳細設定のサマリ（概要）を、例えば表形式で表示する。
【００４４】
詳細設定における設定項目と同じものを、抜粋してオペレーターが任意に配置することが可能な画面が、お気に入りタブ６１２が選択された場合のお気に入り設定領域６１０である。
なお、この画面６００の例は、投入されている印刷ジョブの属性編集と、印刷ジョブテンプレートの編集とで共通に用いられる。
お気に入りタブ６１２が選択された場合は、お気に入り設定領域６１０を表示する。お気に入り設定領域６１０内に、お気に入り選択用ドロップダウンリスト６２０、設定ボタン６３０、設定項目領域６４０を表示する。
お気に入り選択用ドロップダウンリスト６２０では、例えば、選択肢として、「ユーザーごと」と「すべてのお気に入りプロファイル」がある。
そして、お気に入り選択用ドロップダウンリスト６２０で選択されたお気に入り（「ユーザーごと」、「お気に入りプロファイル」）内の設定項目、設定値を、設定項目領域６４０に表示する。お気に入り選択用ドロップダウンリスト６２０で選択したものが、該当の印刷ジョブ、又は、印刷ジョブテンプレートの「お気に入り」属性となる。
設定ボタン６３０が選択された場合、お気に入り選択用ドロップダウンリスト６２０で選択したお気に入りの内容の編集を行うダイアログ（設定項目領域６４０）を開く。
設定項目領域６４０には、お気に入り選択用ドロップダウンリスト６２０で選択されているお気に入りを表示する。ユーザーごとが選択された場合は、ログイン中のユーザーのお気に入りを表示する。その他お気に入りプロファイルが選択された場合は、そのプロファイルに設定されているお気に入りを表示する。図６の例では、設定項目領域６４０内に、部数設定用ドロップダウンリスト６４２、面とじ設定用ドロップダウンリスト６４４、カラーモード設定用ドロップダウンリスト６４６を表示する。
なお、お気に入りの内容を生成するタイミングは以下の通りである。
（１）印刷ジョブ設定モジュール１１５の立ち上げ時（図８の例に示すフローチャート参照）
（２）お気に入りの種類の切り替え時
（３）設定ボタン６３０が選択された場合のお気に入りの内容変更時
【００４５】
図７は、本実施の形態によるお気に入りプロファイルの編集画面７００の提示例を示す説明図である。お気に入りプロファイルの編集画面７００は、印刷ジョブ設定モジュール１１５によって表示され、情報処理装置１００（印刷装置１８０）のオペレーターに対して表示し、お気に入り画面を編集する画面の例である。
お気に入りプロファイルの編集画面７００には、設定項目表示領域７１０、設定操作用ボタン７２０、表示項目表示領域７３０、ＯＫボタン７４０を表示する。
設定項目表示領域７１０には、設定可能な項目リストを表示する。前述した印刷ジョブ設定画面の詳細設定（詳細設定タブ６１４）にある、お気に入りに配置可能なすべての設定項目を一覧として表示する。
設定操作用ボタン７２０は、設定項目表示領域７１０で選択された項目を表示項目表示領域７３０に移動させたり、逆に、表示項目表示領域７３０で選択された項目を設定項目表示領域７１０に移動させたり（戻したり）する。また、表示項目表示領域７３０の右横にある上下ボタンで、設定項目の順番を入れ替えたりする。また、ボタン操作だけでなく、ドラッグ＆ドロップ操作によって、移動等の操作を行うようにしてもよい。
表示項目表示領域７３０で対象となっている設定項目を、画面６００の設定項目領域６４０に表示する。
ＯＫボタン７４０が選択されたときの表示項目表示領域７３０内の設定項目が、お気に入りとして登録される。
【００４６】
図８は、本実施の形態による処理例を示すフローチャートである。印刷ジョブ設定モジュール１１５によって、印刷ジョブの設定を行うときの表示処理を示すものである。
ステップＳ８０２では、印刷ジョブプロパティを開く。
ステップＳ８０４では、印刷ジョブの属性を取得する。
ステップＳ８０６では、印刷ジョブの属性の取得結果を判断し、成功の場合はステップＳ８１０へ進み、失敗の場合はステップＳ８０８へ進む。
ステップＳ８０８では、取得失敗のアラートを行う。
【００４７】
ステップＳ８１０では、「お気に入りの保存形態」を確認し、「印刷ジョブごと」の場合はステップＳ８１２へ進み、「ユーザーごと」の場合はステップＳ８１８へ進む。
ステップＳ８１２では、印刷ジョブのお気に入りを確認する。
ステップＳ８１４では、リソース管理モジュール１２０からお気に入りプロファイルを取得する。
ステップＳ８１６では、お気に入りプロファイルの取得結果を判断し、成功の場合はステップＳ８２６へ進み、失敗の場合はステップＳ８２４へ進む。
【００４８】
ステップＳ８１８では、ユーザーを確認する。
ステップＳ８２０では、システム管理モジュール１０５からユーザーに対応するお気に入りを取得する。
ステップＳ８２２では、ユーザーに対応するお気に入りの取得結果を判断し、成功の場合はステップＳ８２６へ進み、失敗の場合はステップＳ８２４へ進む。
ステップＳ８２４では、システム管理モジュール１０５からお気に入りのデフォルトを取得する。
【００４９】
ステップＳ８２６では、取得したお気に入り（設定名のコレクション）を生成する。つまり、お気に入りプロファイルの内容に応じて表示用画面の生成を開始する。
ステップＳ８２８では、印刷装置の対応の有無を判断し、「対応有り」の場合はステップＳ８３０へ進み、「対応無し」の場合は対応があるまで待機する。
ステップＳ８３０では、設定項目を生成する。
ステップＳ８３２では、全項目が完了したか否かを判断し、完了した場合はステップＳ８３４へ進み、それ以外の場合はステップＳ８２８へ戻る。
ステップＳ８３４では、画面を表示する。
【００５０】
図９、図１０に示す処理例は、印刷ジョブ生成時のお気に入りの登録処理を行うものである。
印刷ジョブのテンプレートを印刷ジョブに割り当てるタイミングとして、「印刷ジョブ読み込み」、「論理印刷装置を通した印刷ジョブ投入」、「印刷ジョブ設定画面でのテンプレート割り当て」がある。図６の例に示した画面６００を通して、お気に入りが属性として対応付けられた印刷ジョブテンプレートが作られ、その印刷ジョブテンプレートが、このタイミングで割り当てられることで、印刷ジョブごとに「お気に入り」が設定される。
【００５１】
図９は、本実施の形態による処理例を示すフローチャートである。
ステップＳ９０２では、原稿を印刷ジョブとして読み込む。
ステップＳ９０４では、印刷ジョブテンプレートを選択する。
ステップＳ９０６では、「お気に入りの保存形態」、「お気に入りプロファイル名」の属性が設定された印刷ジョブが生成される。
【００５２】
図１０は、本実施の形態による処理例を示すフローチャートである。
ステップＳ１００２では、論理印刷装置に原稿を投入する。なお、論理印刷装置とは、ソフトウェアとしての印刷装置であって、印刷ジョブを受け付けることができる。例えば、クラウドプリントサービスとして、プリントサービスのための諸機能を実現する論理印刷装置等がある。
ステップＳ１００４では、論理印刷装置に割り当たっている印刷ジョブテンプレートの属性が印刷ジョブに設定される。
ステップＳ１００６では、「お気に入りの保存形態」、「お気に入りプロファイル名」の属性が設定された印刷ジョブが生成される。
【００５３】
図１１に示す処理例は、印刷ジョブ生成時のお気に入りの登録処理を行うものである。なお、図６の例に示した画面６００でのテンプレート割り当てに関しては、お気に入り画面が表示された状態で行われるので、割り当てたタイミングでお気に入りの再生成が行われる。
図１１は、本実施の形態による処理例を示すフローチャートである。
ステップＳ１１０２では、印刷ジョブテンプレートを割り当てる。
ステップＳ１１０４では、「お気に入りの保存形態」を確認し、「ユーザーごと」の場合はステップＳ１１０６へ進み、「印刷ジョブごと」の場合はステップＳ１１１２へ進む。
ステップＳ１１０６では、ユーザーを確認する。
ステップＳ１１０８では、システム管理モジュール１０５からユーザーに対応するお気に入りを取得する。
【００５４】
ステップＳ１１１０では、ユーザーに対応するお気に入りの取得結果を判断し、成功の場合はステップＳ１１２０へ進み、失敗の場合はステップＳ１１１８へ進む。
ステップＳ１１１２では、印刷ジョブのお気に入りを確認する。
ステップＳ１１１４では、リソース管理モジュール１２０からお気に入りプロファイルを取得する。
ステップＳ１１１６では、お気に入りプロファイルの取得結果を判断し、成功の場合はステップＳ１１２０へ進み、失敗の場合はステップＳ１１１８へ進む。
【００５５】
ステップＳ１１１８では、システム管理モジュール１０５からお気に入りのデフォルトを取得する。
ステップＳ１１２０では、取得したお気に入り（設定名のコレクション）を生成する。
ステップＳ１１２２では、印刷装置の対応の有無を判断し、「対応有り」の場合はステップＳ１１２４へ進み、「対応無し」の場合は対応があるまで待機する。
ステップＳ１１２４では、設定項目を生成する。
【００５６】
ステップＳ１１２６では、全項目が完了したか否かを判断し、完了した場合はステップＳ１１２８へ進み、それ以外の場合はステップＳ１１２２へ戻る。
ステップＳ１１２８では、画面を置き換える。
【００５７】
前述した処理によって、オペレーターごとだけでなく、印刷ジョブごとにお気に入りを設定することになるため、オペレーターは、顧客の印刷ジョブに応じて、必要な設定のみを意識して作業することが可能となる。
また、印刷ジョブのテンプレートとお気に入りプロファイルを対応付けることで、印刷ジョブのテンプレートを印刷ジョブに割り当てるタイミングで、お気に入りの表示設定も変更されることになる。このため、オペレーターは意識することなく、その印刷ジョブに関する必要な設定のみを意識して作業することが可能となる。
【００５８】
図１２を参照して、本実施の形態の情報処理装置のハードウェア構成例について説明する。図１２に示す構成は、例えばパーソナルコンピュータ（ＰＣ）等によって構成されるものであり、スキャナ等のデータ読み取り部１２１７と、プリンタ等のデータ出力部１２１８を備えたハードウェア構成例を示している。
【００５９】
ＣＰＵ（Ｃｅｎｔｒａｌ  Ｐｒｏｃｅｓｓｉｎｇ  Ｕｎｉｔ）１２０１は、前述の実施の形態において説明した各種のモジュール、すなわち、システム管理モジュール１０５、印刷ジョブ設定モジュール１１５、リソース管理モジュール１２０、印刷ジョブ投入モジュール１３５、印刷ジョブ管理モジュール１４０等の各モジュールの実行シーケンスを記述したコンピュータ・プログラムにしたがった処理を実行する制御部である。
【００６０】
ＲＯＭ（Ｒｅａｄ  Ｏｎｌｙ  Ｍｅｍｏｒｙ）１２０２は、ＣＰＵ１２０１が使用するプログラムや演算パラメータ等を格納する。ＲＡＭ（Ｒａｎｄｏｍ  Ａｃｃｅｓｓ  Ｍｅｍｏｒｙ）１２０３は、ＣＰＵ１２０１の実行において使用するプログラムや、その実行において適宜変化するパラメータ等を格納する。これらはＣＰＵバス等から構成されるホストバス１２０４により相互に接続されている。
【００６１】
ホストバス１２０４は、ブリッジ１２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１２０６に接続されている。
【００６２】
キーボード１２０８、マウス等のポインティングデバイス１２０９は、操作者により操作されるデバイスである。ディスプレイ１２１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１２０９とディスプレイ１２１０の両方の機能を備えているタッチスクリーン等であってもよい。その場合、キーボードの機能の実現について、キーボード１２０８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【００６３】
ＨＤＤ（Ｈａｒｄ  Ｄｉｓｋ  Ｄｒｉｖｅ）１２１１は、ハードディスク（フラッシュ・メモリ等であってもよい）を内蔵し、ハードディスクを駆動し、ＣＰＵ１２０１によって実行するプログラムや情報を記録又は再生させる。ハードディスクは、システム情報記憶モジュール１１０、プロファイル記憶モジュール１２５、印刷ジョブテンプレート記憶モジュール１３０、印刷ジョブ記憶モジュール１４５等としての機能を実現させる。さらに、その他の各種データ、各種コンピュータ・プログラム等が格納される。
【００６４】
ドライブ１２１２は、装着されている磁気ディスク、光ディスク、光磁気ディスク、又は半導体メモリ等のリムーバブル記録媒体１２１３に記録されているデータ又はプログラムを読み出して、そのデータ又はプログラムを、インタフェース１２０７、外部バス１２０６、ブリッジ１２０５、及びホストバス１２０４を介して接続されているＲＡＭ１２０３に供給する。なお、リムーバブル記録媒体１２１３も、データ記録領域として利用可能である。
【００６５】
接続ポート１２１４は、外部接続機器１２１５を接続するポートであり、ＵＳＢ、ＩＥＥＥ１３９４等の接続部を持つ。接続ポート１２１４は、インタフェース１２０７、及び外部バス１２０６、ブリッジ１２０５、ホストバス１２０４等を介してＣＰＵ１２０１等に接続されている。通信部１２１６は、通信回線に接続され、外部とのデータ通信処理を実行する。データ読み取り部１２１７は、例えばスキャナであり、ドキュメントの読み取り処理を実行する。データ出力部１２１８は、例えばプリンタであり、ドキュメントデータの出力処理を実行する。
【００６６】
なお、図１２に示す情報処理装置のハードウェア構成は、一つの構成例を示すものであり、本実施の形態は、図１２に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１２に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００６７】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００６８】
１００…情報処理装置
１０５…システム管理モジュール
１１０…システム情報記憶モジュール
１１５…印刷ジョブ設定モジュール
１２０…リソース管理モジュール
１２５…プロファイル記憶モジュール
１３０…印刷ジョブテンプレート記憶モジュール
１３５…印刷ジョブ投入モジュール
１４０…印刷ジョブ管理モジュール
１４５…印刷ジョブ記憶モジュール
１８０…印刷装置
２１０…ユーザー端末
２９０…通信回線
【図１】
2019046333.tif 000003
【図２】
2019046333.tif 000004
【図３】
2019046333.tif 000005
【図４】
2019046333.tif 000006
【図５】
2019046333.tif 000007
【図６】
2019046333.tif 000008
【図７】
2019046333.tif 000009
【図８】
2019046333.tif 000010
【図９】
2019046333.tif 000011
【図１０】
2019046333.tif 000012
【図１１】
2019046333.tif 000013
【図１２】
2019046333.tif 000014